(57)【要約】【課題】微調整装置により太陽光線の一部を照射させるか、太陽光線の一部を遮り、室内に入射する太陽光の明るさを調整するか遮り、室内の採光を調整する調光ロールスクリーンの微調整装置を提供する。【解決手段】調光ロールスクリーンの微調整装置は、フレームユニット１、微調整装置２及びロールスクリーンユニット３を備える。フレームユニット１は、固定レール１１、第１の側座１２、第２の側座１３及び回転ホイールアセンブリ１４を有する。第１の側座１２は、固定レール１１の一端に結合されるとともに、内面に軸孔１２１が形成される。軸孔１２１の上方には枢着片１２２が配設される。枢着片１２２には、完全に貫通された孔溝１２２１が形成される。第２の側座１３は、第１の側座１２と対となるように固定レール１１の他端に結合されるとともに、内面に軸孔１３１が形成され、回転ホイールアセンブリ１４が第２の側座１３内に配設される。【選択図】図２
0003203610.tif 000002
【実用新案登録請求の範囲】
【請求項１】
窓に取付ける調光ロールスクリーンの微調整装置であって、フレームユニット、微調整装置及びロールスクリーンユニットを備え、
前記フレームユニットは、固定レール、第１の側座、第２の側座及び回転ホイールアセンブリを有し、前記第１の側座は、前記固定レールの一端に結合されるとともに、内面に軸孔が形成され、前記軸孔の上方には枢着片が配設され、前記枢着片には、完全に貫通された孔溝が形成され、前記第２の側座は、前記第１の側座と対となるように前記固定レールの他端に結合されるとともに、内面に軸孔が形成され、前記回転ホイールアセンブリが前記第２の側座内に配設され、
前記微調整装置は、伝動軸、調整枢着軸、枢着軸及びスライドベースを有し、前記調整枢着軸は、前記伝動軸の一端に設けられるとともに、前記フレームユニットの前記第１の側座の前記軸孔に枢着され、前記調整枢着軸の外周面には、調整部が設けられ、前記調整部は、前記フレームユニットの前記第１の側座に位置し、前記枢着軸は、前記伝動軸の他端に設けられるとともに、前記フレームユニットの前記第２の側座の前記軸孔に枢着されて前記回転ホイールアセンブリに接続され、前記フレームユニットに前記伝動軸が横設されて固定され、前記スライドベースは、前記フレームユニットの前記第１の側座の前記枢着片で上下方向で変位し、前記スライドベースと前記調整枢着軸との組み合わせにより、位置決め状態を調整し、
前記ロールスクリーンユニットは、第１のロールスクリーン、第２のロールスクリーン及び複数の隔離布片を有し、前記第１のロールスクリーンは、頂端が前記微調整装置の前記伝動軸の頂端後側に固定されて垂れ下げられ、前記第１のロールスクリーンは、全体が透光状であり、底端に重り杆が設けられ、前記第２のロールスクリーンは、頂端が前記微調整装置の前記伝動軸の頂端前側に固定されて垂れ下げられ、前記第２のロールスクリーンは、全体が透光状であり、前記隔離布片は、前記第１のロールスクリーンと前記第２のロールスクリーンとの間に吊下げられて上下に配列され、前記隔離布片全体が非透光状であり、
前記ロールスクリーンユニットが下方へ引っ張られて垂れ下げられて完全に展開される際、前記微調整装置の前記伝動軸の一端の前記調整枢着軸に設けられた調整部及びスライドベースが位置決めされ、前記ロールスクリーンユニットの前記第１のロールスクリーンと前記第２のロールスクリーンとが対応し、前記第１のロールスクリーンと前記第２のロールスクリーンとの間に吊下げて上下に配列した前記隔離布片を駆動し、前記微調整装置の前記伝動軸の一端の前記調整枢着軸に設けた前記調整部と前記スライドベースとの間の組み合わせにより微調整及び位置決めを行い、前記調光ロールスクリーンを立体化させ、前記ロールスクリーンユニットの前記第１のロールスクリーン及び前記第２のロールスクリーンを介して室内に光線が入射して透光効果を得るが、前記ロールスクリーンユニットを引っ張り上げて収納するとき、前記微調整装置の前記伝動軸を回転させると、前記微調整装置の前記スライドベースが前記伝動軸の一端の前記調整枢着軸に設けた前記調整部から外れ、前記ロールスクリーンユニットの前記第２のロールスクリーン及び前記隔離布片が垂れ下がった状態となり、前記ロールスクリーンユニットの前記第１のロールスクリーンと前記第２のロールスクリーンとの間に垂れ下げられた前記隔離布片により、室内に入射する光線を遮ることを特徴とする調光ロールスクリーンの微調整装置。
【請求項２】
前記微調整装置の前記調整枢着軸の前記調整部は、前記調整枢着軸の外円周に複数設けられるとともに、等間隔で外方に突出されたリブを有し、前記リブ間には、凹溝が形成され、前記調整枢着軸の前記リブと前記凹溝とを組み合わせ、前記スライドベースの調整及び位置決めを行うことを特徴とする請求項１に記載の調光ロールスクリーンの微調整装置。
【請求項３】
前記調整枢着軸の前記リブと前記凹溝との組み合わせからなる面積は、前記調整枢着軸の外周面の１／４〜１／２の面積を占有することを特徴とする請求項２に記載の調光ロールスクリーンの微調整装置。
【請求項４】
前記スライドベースは、ブロック及び２つの位置決めリブを有し、
前記ブロックの一側面頂端には、前記フレームユニットの前記第１の側座の前記枢着片を収容する溝部が凹設され、前記ブロックの前側面には、前記溝部と連通して前記ブロックの後側端に至るように延びたピン孔が形成されているとともに、前記ブロックの前記ピン孔と、前記第１の側座の前記枢着片の前記孔溝とには、位置拘束ピンが枢着され、前記スライドベースが前記第１の側座の前記枢着片に枢着され、前記ブロックの他の側面端には、当接端が延設され、
前記２つの位置決めリブは、前記ブロックの底端に設けられるとともに、前記調整枢着軸の前記凹溝と噛合されて位置決めされることを特徴とする請求項２に記載の調光ロールスクリーンの微調整装置。
【請求項５】
前記第１の側座の前記枢着片の前記孔溝は、長尺状に成形され、
前記枢着片の前記孔溝において前記位置拘束ピンは移動可能であり、前記スライドベースが前記枢着片で上下に変位可能であることを特徴とする請求項４に記載の調光ロールスクリーンの微調整装置。
【請求項６】
前記スライドベースの前記位置決めリブ間の間隔と、前記調整枢着軸の前記凹溝間の間隔とは等しいことを特徴とする請求項４に記載の調光ロールスクリーンの微調整装置。
【請求項７】
前記ロールスクリーンユニットの前記第１のロールスクリーン及び前記第２のロールスクリーンは紗幕からなることを特徴とする請求項１に記載の調光ロールスクリーンの微調整装置。
【請求項８】
前記フレームユニットの前記第２の側座内の前記回転ホイールアセンブリは、弾性軸アセンブリにより代替されることを特徴とする請求項１に記載の調光ロールスクリーンの微調整装置。
【請求項９】
前記弾性軸アセンブリは、前記微調整装置の前記伝動軸内に配設されて前記枢着軸に接続され、
前記枢着軸は、前記フレームユニットの前記第２の側座の前記軸孔に枢着されることを特徴とする請求項８に記載の調光ロールスクリーンの微調整装置。
【請求項１０】
前記ロールスクリーンユニットの前記重り杆は、引き下げ部を有することを特徴とする請求項１に記載の調光ロールスクリーンの微調整装置。
【考案の詳細な説明】
【技術分野】
【０００１】
本考案は、調光ロールスクリーンの微調整装置に関し、特に、微調整装置により太陽光線の一部を照射させるか、太陽光線の一部を遮り、室内に入射する太陽光の明るさを調整するか遮り、室内の採光を調整する調光ロールスクリーンの微調整装置に関する。
【背景技術】
【０００２】
従来技術では、ローマンシェイド、プリーツスクリーンなどを含むカーテンを引き紐により制御したり移動したりする。引き紐は、一般に手で操作することができる位置までヘッドレールから垂れ下がり、引き紐を引っ張ると、カーテンを水平移動させることができる。しかし、引き紐式カーテンは、引き紐が窓の側辺に位置するため、見た目があまり良くない上、ユーザが使用する際自ら近寄ってカーテンの引き紐を操作しなければならず、カーテンの昇降を遠隔操作することができず不便であった。また、家庭に子どもがいる場合、好奇心から又はふざけて子どもの首に露出している引き紐が絡まって死亡事故が発生する虞があり安全性に問題があった。
【考案の概要】
【考案が解決しようとする課題】
【０００３】
本考案の主な目的は、微調整装置により太陽光線の一部を照射させるか、太陽光線の一部を遮り、室内に入射する太陽光の明るさを調整するか遮り、室内の採光を調整する調光ロールスクリーンの微調整装置を提供することにある。
【課題を解決するための手段】
【０００４】
上記課題を解決するために、本考案の第１の形態によれば、窓に取付ける調光ロールスクリーンの微調整装置であって、フレームユニット、微調整装置及びロールスクリーンユニットを備え、前記フレームユニットは、固定レール、第１の側座、第２の側座及び回転ホイールアセンブリを有し、前記第１の側座は、前記固定レールの一端に結合されるとともに、内面に軸孔が形成され、前記軸孔の上方には枢着片が配設され、前記枢着片には、完全に貫通された孔溝が形成され、前記第２の側座は、前記第１の側座と対となるように前記固定レールの他端に結合されるとともに、内面に軸孔が形成され、前記回転ホイールアセンブリが前記第２の側座内に配設され、前記微調整装置は、伝動軸、調整枢着軸、枢着軸及びスライドベースを有し、前記調整枢着軸は、前記伝動軸の一端に設けられるとともに、前記フレームユニットの前記第１の側座の前記軸孔に枢着され、前記調整枢着軸の外周面には、調整部が設けられ、前記調整部は、前記フレームユニットの前記第１の側座に位置し、前記枢着軸は、前記伝動軸の他端に設けられるとともに、前記フレームユニットの前記第２の側座の前記軸孔に枢着されて前記回転ホイールアセンブリに接続され、前記フレームユニットに前記伝動軸が横設されて固定され、前記スライドベースは、前記フレームユニットの前記第１の側座の前記枢着片で上下方向で変位し、前記スライドベースと前記調整枢着軸との組み合わせにより、位置決め状態を調整し、前記ロールスクリーンユニットは、第１のロールスクリーン、第２のロールスクリーン及び複数の隔離布片を有し、前記第１のロールスクリーンは、頂端が前記微調整装置の前記伝動軸の頂端後側に固定されて垂れ下げられ、前記第１のロールスクリーンは、全体が透光状であり、底端に重り杆が設けられ、前記第２のロールスクリーンは、頂端が前記微調整装置の前記伝動軸の頂端前側に固定されて垂れ下げられ、前記第２のロールスクリーンは、全体が透光状であり、前記隔離布片は、前記第１のロールスクリーンと前記第２のロールスクリーンとの間に吊下げられて上下に配列され、前記隔離布片全体が非透光状であり、前記ロールスクリーンユニットが下方へ引っ張られて垂れ下げられて完全に展開される際、前記微調整装置の前記伝動軸の一端の前記調整枢着軸に設けられた調整部及びスライドベースが位置決めされ、前記ロールスクリーンユニットの前記第１のロールスクリーンと前記第２のロールスクリーンとが対応し、前記第１のロールスクリーンと前記第２のロールスクリーンとの間に吊下げて上下に配列した前記隔離布片を駆動し、前記微調整装置の前記伝動軸の一端の前記調整枢着軸に設けた前記調整部と前記スライドベースとの間の組み合わせにより微調整及び位置決めを行い、前記調光ロールスクリーンを立体化させ、前記ロールスクリーンユニットの前記第１のロールスクリーン及び前記第２のロールスクリーンを介して室内に光線が入射して透光効果を得るが、前記ロールスクリーンユニットを引っ張り上げて収納するとき、前記微調整装置の前記伝動軸を回転させると、前記微調整装置の前記スライドベースが前記伝動軸の一端の前記調整枢着軸に設けた前記調整部から外れ、前記ロールスクリーンユニットの前記第２のロールスクリーン及び前記隔離布片が垂れ下がった状態となり、前記ロールスクリーンユニットの前記第１のロールスクリーンと前記第２のロールスクリーンとの間に垂れ下げられた前記隔離布片により、室内に入射する光線を遮ることを特徴とする調光ロールスクリーンの微調整装置が提供される。
【考案の効果】
【０００５】
本考案の調光ロールスクリーンの微調整装置は、微調整装置により太陽光線の一部を照射させるか、太陽光線の一部を遮り、室内に入射する太陽光の明るさを調整するか遮り、室内の採光を調整することができる。
【図面の簡単な説明】
【０００６】
【図１】本考案の一実施形態に係る調光ロールスクリーンの微調整装置を示す斜視図である。
【図２】本考案の一実施形態に係る調光ロールスクリーンの微調整装置を示す分解斜視図である。
【図３】図２の部分拡大図である。
【図４】本考案の一実施形態に係る調光ロールスクリーンの微調整装置のスライドベースを示す正面図である。
【図５】本考案の一実施形態に係る調光ロールスクリーンの微調整装置の回転ホイールアセンブリを弾性軸アセンブリに代替したときの状態を示す斜視図である。
【図６】本考案の一実施形態に係る調光ロールスクリーンの微調整装置のロールスクリーンユニットを展開するときの状態を示す説明図である。
【図７】図６の部分拡大図である。
【図８】本考案の一実施形態に係る調光ロールスクリーンの微調整装置のロールスクリーンユニットを収納するときの状態を示す説明図である。
【図９】図８の部分拡大図である。
【考案を実施するための形態】
【０００７】
まず、図１〜図９を参照する。図１〜図９に示すように、本考案の一実施形態に係る調光ロールスクリーンの微調整装置は、少なくともフレームユニット１、微調整装置２及びロールスクリーンユニット３から構成されてなる。
【０００８】
フレームユニット１は、銅、ステンレス、アルミニウム、亜鉛又は鉄である金属材料からなる。フレームユニット１は、固定レール１１、第１の側座１２、第２の側座１３及び回転ホイールアセンブリ１４を有する。固定レール１１は、長尺状を呈する。第１の側座１２は、固定レール１１の一端に結合される。第１の側座１２の内面には、軸孔１２１が形成され、軸孔１２１の上方には枢着片１２２が配設される。枢着片１２２には、完全に貫通された孔溝１２２１が形成されている。第２の側座１３は、第１の側座１２と対となるように、固定レール１１の他端に結合されている。第２の側座１３の内面には、軸孔１３１が形成されている。回転ホイールアセンブリ１４は、第２の側座１３内に配設されている。回転ホイールアセンブリ１４は、微調整装置２を駆動し、ロールスクリーンユニット３を垂れ下げたり巻き上げたりする。
【０００９】
第１の側座１２及び第２の側座１３は、固定レール１１にそれぞれ螺着される。第１の側座１２には、内側頂端面に孔を有する螺着片１２３が延設され、第２の側座１３には、内側頂端面に孔を有する螺着片１３２が延設され、２つの螺着部材１５が第１の側座１２及び第２の側座１３の螺着片１２３，１３２に枢着され、固定レール１１に螺着される。
【００１０】
微調整装置２は、伝動軸２１、調整枢着軸２２、枢着軸２３及びスライドベース２４を有する。伝動軸２１は、長尺状かつ円筒状である。調整枢着軸２２は、伝動軸２１の一端に設けられるとともに、フレームユニット１の第１の側座１２の軸孔１２１に枢着される。調整枢着軸２２の外周面には、調整部２２１が設けられる。調整部２２１は、フレームユニット１の第１の側座１２に位置する。枢着軸２３は、伝動軸２１の他端に設けられるとともに、フレームユニット１の第２の側座１３の軸孔１３１に枢着されて回転ホイールアセンブリ１４に接続され、フレームユニット１に伝動軸２１が横設されて固定される。スライドベース２４は、フレームユニット１の第１の側座１２の枢着片１２２において上下方向で変位する。位置決め状態は、スライドベース２４と調整枢着軸２２との組み合わせにより調整することができる。
【００１１】
ロールスクリーンユニット３は、第１のロールスクリーン３１、第２のロールスクリーン３２及び複数の隔離布片３３を含む。第１のロールスクリーン３１は、所定の長さに切断されて成形され、頂端が微調整装置２の伝動軸２１の頂端後側に固定されて垂れ下げられている。第１のロールスクリーン３１は、全体が透光状であり、底端に重り杆３１１が設けられている。第２のロールスクリーン３２は、所定の長さに切断されて成形され、頂端が微調整装置２の伝動軸２１の頂端後側に固定されて垂れ下げられる。第２のロールスクリーン３２は、全体が透光状である。複数の隔離布片３３は、第１のロールスクリーン３１と第２のロールスクリーン３２との間に吊下げられて上下に配列される。各隔離布片３３全体は非透光状である。
【００１２】
ロールスクリーンユニット３の第１のロールスクリーン３１及び第２のロールスクリーン３２は紗幕からなる。各隔離布片３３は、第１のロールスクリーン３１と第２のロールスクリーン３２との間に縫着方式又は貼着方式により吊下げられる。
【００１３】
ロールスクリーンユニット３の重り杆３１１には、引き下げ部３１１１がさらに設けられてもよい。
【００１４】
以下、上述の構造についてさらに詳しく説明する。上述した微調整装置２の調整枢着軸２２の調整部２２１は、調整枢着軸２２の外円周に複数設けられ、等間隔で外方に突出されたリブ２２１１が設けられ、各リブ２２１１間に形成された凹溝２２１２と、調整枢着軸２２のリブ２２１１とを組み合わせ、スライドベース２４の調整及び位置決めを行う。
【００１５】
調整枢着軸２２のリブ２２１１と凹溝２２１２との組み合わせからなる面積は、調整枢着軸２２の外周面の１／４〜１／２の面積を占有する。
【００１６】
スライドベース２４は、ブロック２４１及び２つの位置決めリブ２４２を有する。ブロック２４１の一側面頂端には、フレームユニット１の第１の側座１２の枢着片１２２を収容する溝部２４１１が凹設され、ブロック２４１の前側面には、溝部２４１１と連通してブロック２４１の後側端に至るまで延びたピン孔２４１２が形成されるとともに、位置拘束ピン２５を組み合わせてブロック２４１のピン孔２４１２と、第１の側座１２の枢着片１２２の孔溝１２２１とに枢着させ、スライドベース２４を第１の側座１２の枢着片１２２に枢着させる。ブロック２４１の他の側面端には、当接端２４１３が延設される。２つの位置決めリブ２４２は、ブロック２４１の底端に設けられる。２つの位置決めリブ２４２は、調整枢着軸２２の各凹溝２２１２と噛合されて位置決めされる。
【００１７】
第１の側座１２の枢着片１２２の孔溝１２２１は、長尺状に成形され、枢着片１２２の孔溝１２２１において位置拘束ピン２５は移動可能であり、枢着片１２２でスライドベース２４が上下に変位可能である。スライドベース２４の２つの位置決めリブ２４２間の間隔と、調整枢着軸２２の各凹溝２２１２間の間隔とは等しい。
【００１８】
また、フレームユニット１の第２の側座１３内の回転ホイールアセンブリ１４は、弾性軸アセンブリ１６と代替してもよい。弾性軸アセンブリ１６は、微調整装置２の伝動軸２１内に配設され、枢着軸２３に接続される。枢着軸２３は、フレームユニット１の第２の側座１３の軸孔１３１に枢着される。弾性軸アセンブリ１６は、微調整装置２により駆動され、ロールスクリーンユニット３の垂れ下げ又は巻き上げを行う（図５を参照する）。
【００１９】
本考案の一実施形態に係る調光ロールスクリーンの微調整装置は、窓に取付けることができる。調光ロールスクリーンをドア、窓枠に掛合させるか係合させた後、ロールスクリーンユニット３の重り杆３１１の引き下げ部３１１１を握持し、引張り下げて垂れ下げ、ロールスクリーンユニット３により引張り下げて垂れ下げると、微調整装置２の伝動軸２１に巻き付けられているロールスクリーンユニット３が少なくなり、伝動軸２１上のロールスクリーンユニット３が少なくなってスライドベース２４が下方へ変位する。ロールスクリーンユニット３を下方へ引っ張られて垂れ下げられて完全に展開されると、微調整装置２の調整枢着軸２２の調整部２２１が上方に至るまで回転し、微調整装置２の伝動軸２１の一端の調整枢着軸２２に設けられた調整部２２１及びスライドベース２４が位置決めされ、ロールスクリーンユニット３の第１のロールスクリーン３１と第２のロールスクリーン３２とが対応し、各隔離布片３３を駆動して第１のロールスクリーン３１と第２のロールスクリーン３２との間に吊下げて上下に配列し、微調整装置２の伝動軸２１の一端の調整枢着軸２２に設けた調整部２２１とスライドベース２４との間の組み合わせにより微調整して位置決めし、調光ロールスクリーンを立体化し、光線をロールスクリーンユニット３の第１のロールスクリーン３１及び第２のロールスクリーン３２を介して室内に照射して透光効果を得ることができる。このように、自宅及び事務所のドア又は窓枠を装飾することができる上、室内の採光状況を変えて明るさを調整し、太陽光が直接照射されて光線が眩しすぎて眼に刺激を与えて温度が上昇してしまうなどの欠点を改善することができる（図６及び図７を参照する）。ロールスクリーンユニット３を引っ張り上げて収納する際、微調整装置２の伝動軸２１を回転させ、微調整装置２の伝動軸２１上に巻き付けられたロールスクリーンユニット３が増加し、スライドベース２４が伝動軸２１のロールスクリーンユニット３が多くなって上方へ変位すると、伝動軸２１の調整枢着軸２２が回転し、微調整装置２のスライドベース２４が伝動軸２１の一端の調整枢着軸２２に設けた調整部２２１から外れ、ロールスクリーンユニット３の第２のロールスクリーン３２及び各隔離布片３３が垂れ下げた状態となり、ロールスクリーンユニット３の第１のロールスクリーン３１と第２のロールスクリーン３２との間に各隔離布片３３を垂れ下げ、ロールスクリーンユニット３の各隔離布片３３により光線を遮って室内を遮光するが、遮光効果により完全な遮光を行うか部分的な遮光を行う（図８及び図９を参照する）。このように、本考案に係る調光ロールスクリーンの微調整装置は、微調整装置２を調整して太陽光線を部分的に照射させたり、部分的に遮ったりすることができないため、室内に照射される太陽光線の輝度を調整したり遮光効果を得たりして、室内の採光を変えることができる。
【符号の説明】
【００２０】
１  フレームユニット
２  微調整装置
３  ロールスクリーンユニット
１１  固定レール
１２  第１の側座
１３  第２の側座
１４  回転ホイールアセンブリ
１５  螺着部材
１６  弾性軸アセンブリ
２１  伝動軸
２２  調整枢着軸
２３  枢着軸
２４  スライドベース
２５  位置拘束ピン
３１  第１のロールスクリーン
３２  第２のロールスクリーン
３３  隔離布片
１２１  軸孔
１２２  枢着片
１２３  螺着片
１３１  軸孔
１３２  螺着片
２２１  調整部
２４１  ブロック
２４２  位置決めリブ
３１１  重り杆
１２２１  孔溝
２２１１  リブ
２２１２  凹溝
２４１１  溝部
２４１２  ピン孔
２４１３  当接端
３１１１  引き下げ部
【図１】
0003203610.tif 000003
【図２】
0003203610.tif 000004
【図３】
0003203610.tif 000005
【図４】
0003203610.tif 000006
【図５】
0003203610.tif 000007
【図６】
0003203610.tif 000008
【図７】
0003203610.tif 000009
【図８】
0003203610.tif 000010
【図９】
0003203610.tif 000011